(57)【要約】【課題】各種テストに使用する模擬紙幣を用意するためのコスト及び模擬紙幣の管理の煩雑さを軽減する。【解決手段】金種を特定する金種特定マークＭＫを印刷する印刷範囲ＰＲが、紙幣処理装置による取扱可能なすべての金種に共通して、紙幣処理装置によって取り扱われる複数種類の紙幣の中で一番小さい紙幣のサイズよりも小さな領域として設定されている模擬紙幣ＳＭを用いて、制御部に、鑑別部による紙幣の金種鑑別及び破損状況識別、並びに、搬送機構による紙幣搬送等の動作を行わせる。【選択図】図５
2011113158.tif 000002
【特許請求の範囲】
【請求項１】
紙幣を搬送する搬送機構、紙幣を鑑別する鑑別部、紙幣を一時保留する一時保留部、還流使用が不能な紙幣を収納するリジェクト部、複数種類の紙幣を種類毎に収納する複数の収納カセット、及び、各部の動作を制御する制御部を有する紙幣処理装置の当該制御部に実行させる、紙幣処理装置のテストプログラムにおいて、
入金テスト時に、
前記搬送機構によって、紙幣が投入及び放出される入出金口から模擬紙幣を前記鑑別部に搬送させ、
前記鑑別部によって、前記紙幣処理装置による取扱可能な複数種類の紙幣の中で一番小さい紙幣のサイズよりも小さな領域として前記模擬紙幣に予め設定されている印刷範囲を対象にして、前記模擬紙幣の金種を特定する金種特定マークを読み取らせることによって、前記模擬紙幣の金種を鑑別させ、
前記搬送機構によって、金種が不明な模擬紙幣を前記入出金口に搬送させるとともに、金種が特定された模擬紙幣を前記一時保留部に搬送させた後、前記鑑別部に搬送させ、
前記鑑別部によって、前記一時保留部に搬送された前記模擬紙幣の外観を識別させることによって、前記模擬紙幣の破損状況を識別させ、
前記搬送機構によって、破損がある模擬紙幣を前記リジェクト部に搬送させるとともに、破損がない模擬紙幣を鑑別された金種の前記収納カセットに搬送させる
ことを特徴とする紙幣処理装置のテストプログラム。
【請求項２】
紙幣を搬送する搬送機構、紙幣を鑑別する鑑別部、紙幣を一時保留する一時保留部、還流使用が不能な紙幣を収納するリジェクト部、複数種類の紙幣を種類毎に収納する複数の収納カセット、及び、各部の動作を制御する制御部を有する紙幣処理装置の当該制御部に実行させる、紙幣処理装置のテストプログラムにおいて、
出金テスト時に、
前記搬送機構によって、特定金種の前記収納カセットから特定金種の模擬紙幣を繰り出させて前記鑑別部に搬送させ、
前記鑑別部によって、前記紙幣処理装置による取扱可能な複数種類の紙幣の中で一番小さい紙幣のサイズよりも小さな領域として前記模擬紙幣に予め設定されている印刷範囲を対象にして、前記模擬紙幣の金種を特定する金種特定マークを読み取らせることによって、前記模擬紙幣の金種を鑑別させるとともに、前記模擬紙幣の外観を識別させることによって、前記模擬紙幣の破損状況を識別させ、
前記搬送機構によって、金種が前記特定金種と異なる模擬紙幣及び破損がある模擬紙幣を前記リジェクト部に搬送させるとともに、金種が前記特定金種でかつ破損がない模擬紙幣を、紙幣が投入及び放出される入出金口に搬送させる
ことを特徴とする紙幣処理装置のテストプログラム。
【請求項３】
請求項１又は請求項２に記載の紙幣処理装置のテストプログラムにおいて、
異なる通貨単位間での金種の鑑別に共通して、常に、前記鑑別部によって、前記印刷範囲を対象にして、前記金種特定マークを読み取らせることによって、１枚の前記模擬紙幣を複数種類の通貨単位を表す媒体として使用させる
ことを特徴とする紙幣処理装置のテストプログラム。
【請求項４】
紙幣を搬送する搬送機構、紙幣を鑑別する鑑別部、紙幣を一時保留する一時保留部、還流使用が不能な紙幣を収納するリジェクト部、複数種類の紙幣を種類毎に収納する複数の収納カセット、及び、各部の動作を制御する制御部を有する紙幣処理装置が実行する、紙幣処理装置のテスト方法において、
入金テスト時に、
前記搬送機構は、紙幣が投入及び放出される入出金口から模擬紙幣を前記鑑別部に搬送し、
前記鑑別部は、前記紙幣処理装置による取扱可能な複数種類の紙幣の中で一番小さい紙幣のサイズよりも小さな領域として前記模擬紙幣に予め設定されている印刷範囲を対象にして、前記模擬紙幣の金種を特定する金種特定マークを読み取ることによって、前記模擬紙幣の金種を鑑別し、
前記搬送機構は、金種が不明な模擬紙幣を前記入出金口に搬送するとともに、金種が特定された模擬紙幣を前記一時保留部に搬送した後、前記鑑別部に搬送し、
前記鑑別部は、前記一時保留部に搬送された前記模擬紙幣の外観を識別することによって、前記模擬紙幣の破損状況を識別し、
前記搬送機構は、破損がある模擬紙幣を前記リジェクト部に搬送するとともに、破損がない模擬紙幣を鑑別された金種の前記収納カセットに搬送する
ことを特徴とする紙幣処理装置のテスト方法。
【請求項５】
紙幣を搬送する搬送機構、紙幣を鑑別する鑑別部、紙幣を一時保留する一時保留部、還流使用が不能な紙幣を収納するリジェクト部、複数種類の紙幣を種類毎に収納する複数の収納カセット、及び、各部の動作を制御する制御部を有する紙幣処理装置が実行する、紙幣処理装置のテスト方法において、
出金テスト時に、
前記搬送機構は、特定金種の前記収納カセットから特定金種の模擬紙幣を繰り出して前記鑑別部に搬送し、
前記鑑別部は、前記紙幣処理装置による取扱可能な複数種類の紙幣の中で一番小さい紙幣のサイズよりも小さな領域として前記模擬紙幣に予め設定されている印刷範囲を対象にして、前記模擬紙幣の金種を特定する金種特定マークを読み取ることによって、前記模擬紙幣の金種を鑑別するとともに、前記模擬紙幣の外観を識別することによって、前記模擬紙幣の破損状況を識別し、
前記搬送機構は、金種が前記特定金種と異なる模擬紙幣及び破損がある模擬紙幣を前記リジェクト部に搬送するとともに、金種が前記特定金種でかつ破損がない模擬紙幣を、紙幣が投入及び放出される入出金口に搬送する
ことを特徴とする紙幣処理装置のテスト方法。
【請求項６】
請求項４又は請求項５に記載の紙幣処理装置のテスト方法において、
異なる通貨単位間での金種の鑑別に共通して、常に、前記鑑別部によって、前記印刷範囲を対象にして、前記金種特定マークを読み取らせることによって、１枚の前記模擬紙幣を複数種類の通貨単位を表す媒体として使用させる
ことを特徴とする紙幣処理装置のテスト方法。
【請求項７】
紙幣処理装置の動作テストに用いる模擬紙幣において、
金種を特定する金種特定マークを印刷する印刷範囲が、前記紙幣処理装置による取扱可能なすべての金種に共通して、前記紙幣処理装置によって取り扱われる複数種類の紙幣の中で一番小さい紙幣のサイズよりも小さな領域として設定されている
ことを特徴とする模擬紙幣。
【請求項８】
請求項７に記載の模擬紙幣において、
前記金種特定マークは、同一通貨単位内で発行されている各紙幣に付された金額の大小の順番を表している
ことを特徴とする模擬紙幣。
【請求項９】
請求項８に記載の模擬紙幣において、
前記金種特定マークは、マークの個数によって前記金額の大小の順番を表している
ことを特徴とする模擬紙幣。
【請求項１０】
請求項７乃至請求項９のいずれか一項に記載の模擬紙幣において、
前記金種特定マークの印刷範囲は、周囲に、切断箇所を示す切断線が記されている
ことを特徴とする模擬紙幣。
【請求項１１】
請求項１０に記載の模擬紙幣において、
前記金種特定マークの印刷範囲の周囲が前記切断線に沿って切断されることによって、異なる通貨単位の紙幣として用いられる
ことを特徴とする模擬紙幣。
【発明の詳細な説明】
【技術分野】
【０００１】
本発明は、紙幣処理装置のテストプログラム、紙幣処理装置のテスト方法、及び、紙幣処理装置の動作テストに用いる模擬紙幣に関する。
【背景技術】
【０００２】
紙幣を用いて任意の処理を行う紙幣処理装置としては、例えば、金融機関や流通機関の施設に設置されている自動取引装置やキャッシュディスペンサ、金融機関の窓口に設置されている窓口装置、流通機関の店頭に設置されているレジスタ機等がある。
【０００３】
紙幣処理装置は、任意の処理が適正に行われるように、製造検査時や保守点検時に、模擬紙幣を用いて様々なテストが行われる。例えば、紙幣処理装置の一種である自動取引装置は、入金処理や出金処理が適正に行われるように、製造検査時に、製造技術者によって、自動取引装置内部の各部品や各機構の動作確認作業が行われる。また、自動取引装置は、保守点検時に、保守員によって、自動取引装置内部の各部品や各機構の動作確認作業が行われる。また、自動取引装置は、自動取引装置を動作させるアプリケーションソフトウェアの開発時に、ソフトウェア技術者によって、アプリケーションソフトウェアのデバッグ作業が行われる。これらの作業において、自動取引装置は、模擬紙幣を用いて入金テストや出金テストが行われる。その模擬紙幣の中には、模擬紙幣の劣化状態を検出するための２つの方形状のマークが記されたものがある（例えば、特許文献１参照）。
【先行技術文献】
【特許文献】
【０００４】
【特許文献１】特開２０００−２０７６３５号公報（図１２、段落５３〜５５）
【発明の概要】
【発明が解決しようとする課題】
【０００５】
紙幣処理装置の入金テストや出金テストは、紙幣処理装置による取扱可能なすべての金種の模擬紙幣を対象にして行われる。そのため、テストの実行者（具体的には、紙幣処理装置の製造検査時の作業者や保守点検時の保守員等）は、膨大な数の模擬紙幣を用意する必要がある。
これにより、紙幣処理装置の入金テストや出金テストは、膨大な数の模擬紙幣を用意するための多大なコストがかかるという課題、及び、膨大な数の模擬紙幣の管理が煩雑になるという課題があった。これらの課題は、紙幣処理装置が海外向けの装置である場合に、取扱可能な金種の数が多くなるため、特に顕著になる。
【０００６】
本発明の発明者は、１枚の模擬紙幣を異なる通貨単位間で使い回すことができれば、すなわち、１枚の模擬紙幣を複数種類の通貨単位を表す券（媒体）として用いることができれば、これらの課題を解決することができると考えた。
さらに、発明者は、従来、模擬紙幣の劣化状態を検出するために用いられていたマーク（特許文献１では、方形状のマーク）を、模擬紙幣の金種を特定するマーク（以下、「金種特定マーク」と称する）として用い、紙幣処理装置が金種特定マークを常に読み取ることができるように、その位置を規定すれば、１枚の模擬紙幣を異なる通貨単位間で使い回すことが実現できると考えた。
【０００７】
本発明は、前記した課題を解決するためになされたものであり、入金テストや出金テスト等の各種テストに使用する模擬紙幣を用意するためのコスト及び模擬紙幣の管理の煩雑さを軽減する紙幣処理装置のテストプログラム、紙幣処理装置のテスト方法、及び、紙幣処理装置の動作テストに用いる模擬紙幣を提供することを主な目的とする。
【課題を解決するための手段】
【０００８】
前記目的を達成するため、第１発明は、紙幣を搬送する搬送機構、紙幣を鑑別する鑑別部、紙幣を一時保留する一時保留部、還流使用が不能な紙幣を収容するリジェクト部、複数種類の紙幣を種類毎に収容する複数の収容カセット、及び、各部の動作を制御する制御部を有する紙幣処理装置の当該制御部に実行させる、紙幣処理装置のテストプログラムであって、出金テスト時に、前記搬送機構によって、特定金種の前記収納カセットから特定金種の模擬紙幣を繰り出させて前記鑑別部に搬送させ、前記鑑別部によって、前記紙幣処理装置による取扱可能な複数種類の紙幣の中で一番小さい紙幣のサイズよりも小さな領域として前記模擬紙幣に予め設定されている印刷範囲を対象にして、前記模擬紙幣の金種を特定する金種特定マークを読み取らせることによって、前記模擬紙幣の金種を鑑別させるとともに、前記模擬紙幣の外観を識別させることによって、前記模擬紙幣の破損状況を識別させ、前記搬送機構によって、金種が前記特定金種と異なる模擬紙幣及び破損がある模擬紙幣を前記リジェクト部に搬送させるとともに、金種が前記特定金種でかつ破損がない模擬紙幣を、紙幣が投入及び放出される入出金口に搬送させる構成とする。
【０００９】
また、第２発明は、紙幣を搬送する搬送機構、紙幣を鑑別する鑑別部、紙幣を一時保留する一時保留部、還流使用が不能な紙幣を収納するリジェクト部、複数種類の紙幣を種類毎に収納する複数の収納カセット、及び、各部の動作を制御する制御部を有する紙幣処理装置の当該制御部に実行させる、紙幣処理装置のテストプログラムであって、出金テスト時に、前記搬送機構によって、特定金種の前記収納カセットから特定金種の模擬紙幣を繰り出させて前記鑑別部に搬送させ、前記鑑別部によって、前記紙幣処理装置による取扱可能な複数種類の紙幣の中で一番小さい紙幣のサイズよりも小さな領域として前記模擬紙幣に予め設定されている印刷範囲を対象にして、前記模擬紙幣の金種を特定する金種特定マークを読み取らせることによって、前記模擬紙幣の金種を鑑別させるとともに、前記模擬紙幣の外観を識別させることによって、前記模擬紙幣の破損状況を識別させ、前記搬送機構によって、金種が前記特定金種と異なる模擬紙幣及び破損がある模擬紙幣を前記リジェクト部に搬送させるとともに、金種が前記特定金種でかつ破損がない模擬紙幣を、紙幣が投入及び放出される入出金口に搬送させる構成とする。
【００１０】
第１又は第２発明に係るテストプログラムは、各模擬紙幣の印刷範囲が紙幣処理装置による取扱可能な複数種類の紙幣の中で一番小さい紙幣のサイズよりも小さな領域として設定されており、その印刷範囲を対象にして、紙幣処理装置の制御部に、鑑別部による金種特定マークの読み取りを行わせる。金種特定マークは、同一通貨単位内で発行されている各紙幣に付された金額の大小の順番を表す。そのため、各模擬紙幣は、例えば、切断等によって印刷範囲の周囲の形状が変形された場合に、異なる通貨単位における、金種特定マークが表す順番の券として、紙幣処理装置に認識されるようになる。
したがって、第１又は第２発明に係るテストプログラムは、１枚の模擬紙幣を異なる通貨単位間で使い回すこと、すなわち、１枚の模擬紙幣を複数種類の通貨単位を表す券として用いることを許容する。
【００１１】
また、第３発明は、紙幣を搬送する搬送機構、紙幣を鑑別する鑑別部、紙幣を一時保留する一時保留部、還流使用が不能な紙幣を収容するリジェクト部、複数種類の紙幣を種類毎に収容する複数の収容カセット、及び、各部の動作を制御する制御部を有する紙幣処理装置が実行する、紙幣処理装置のテスト方法であって、出金テスト時に、前記搬送機構は、特定金種の前記収納カセットから特定金種の模擬紙幣を繰り出して前記鑑別部に搬送し、前記鑑別部は、前記紙幣処理装置による取扱可能な複数種類の紙幣の中で一番小さい紙幣のサイズよりも小さな領域として前記模擬紙幣に予め設定されている印刷範囲を対象にして、前記模擬紙幣の金種を特定する金種特定マークを読み取ることによって、前記模擬紙幣の金種を鑑別するとともに、前記模擬紙幣の外観を識別することによって、前記模擬紙幣の破損状況を識別し、前記搬送機構は、金種が前記特定金種と異なる模擬紙幣及び破損がある模擬紙幣を前記リジェクト部に搬送するとともに、金種が前記特定金種でかつ破損がない模擬紙幣を、紙幣が投入及び放出される入出金口に搬送する構成とする。
【００１２】
また、第４発明は、紙幣を搬送する搬送機構、紙幣を鑑別する鑑別部、紙幣を一時保留する一時保留部、還流使用が不能な紙幣を収納するリジェクト部、複数種類の紙幣を種類毎に収納する複数の収納カセット、及び、各部の動作を制御する制御部を有する紙幣処理装置が実行する、紙幣処理装置のテスト方法であって、出金テスト時に、前記搬送機構は、特定金種の前記収納カセットから特定金種の模擬紙幣を繰り出して前記鑑別部に搬送し、前記鑑別部は、前記紙幣処理装置による取扱可能な複数種類の紙幣の中で一番小さい紙幣のサイズよりも小さな領域として前記模擬紙幣に予め設定されている印刷範囲を対象にして、前記模擬紙幣の金種を特定する金種特定マークを読み取ることによって、前記模擬紙幣の金種を鑑別するとともに、前記模擬紙幣の外観を識別することによって、前記模擬紙幣の破損状況を識別し、前記搬送機構は、金種が前記特定金種と異なる模擬紙幣及び破損がある模擬紙幣を前記リジェクト部に搬送するとともに、金種が前記特定金種でかつ破損がない模擬紙幣を、紙幣が投入及び放出される入出金口に搬送する構成とする。
【００１３】
第３又は第４発明に係るテスト方法は、第１又は第２発明に係る紙幣処理装置のテストプログラムと同様に、１枚の模擬紙幣を異なる通貨単位間で使い回すことを許容する。
【００１４】
また、第５発明は、紙幣処理装置の動作テストに用いる模擬紙幣であって、複数金種の模擬紙幣の間で、金種を特定する金種特定マークを印刷する印刷範囲が、前記紙幣処理装置によって取り扱われる複数種類の紙幣の中で一番小さい紙幣のサイズよりも小さな領域として設定されている構成とする。
【００１５】
第５発明に係る模擬紙幣は、印刷範囲が紙幣処理装置による取扱可能な複数種類の紙幣の中で一番小さい紙幣のサイズよりも小さな領域として設定されている。紙幣処理装置は、その印刷範囲を対象にして、金種特定マークを読み取る。金種特定マークは、同一通貨単位内で発行されている各紙幣に付された金額の大小の順番を表す。そのため、各模擬紙幣は、例えば、切断等によって印刷範囲の周囲の形状が変形された場合に、異なる通貨単位における、金種特定マークが表す順番の券として、紙幣処理装置に認識されるようになる。
したがって、第５発明に係る模擬紙幣は、１枚の模擬紙幣を異なる通貨単位間で使い回すことができる。
【発明の効果】
【００１６】
第１又は第２発明によれば、１枚の模擬紙幣を異なる通貨単位間で使い回すことを許容するため、入金テストや出金テスト等の各種テストに使用する模擬紙幣を用意するためのコスト及び模擬紙幣の管理の煩雑さを軽減する、紙幣処理装置のテストプログラムを提供することができる。
また、第３又は第４発明によれば、１枚の模擬紙幣を異なる通貨単位間で使い回すことを許容するため、入金テストや出金テスト等の各種テストに使用する模擬紙幣を用意するためのコスト及び模擬紙幣の管理の煩雑さを軽減する、紙幣処理装置のテスト方法を提供することができる。
また、第５発明によれば、１枚の模擬紙幣を異なる通貨単位間で使い回すことができるため、入金テストや出金テスト等の各種テストに使用する模擬紙幣を用意するためのコスト及び模擬紙幣の管理の煩雑さを軽減する、模擬紙幣を提供することができる。
【図面の簡単な説明】
【００１７】
【図１】実施形態に係る紙幣処理装置の構成を示す図である。
【図２】実施形態に係る模擬紙幣の構成を示す図（１）である。
【図３】実施形態に係る模擬紙幣の構成を示す図（２）である。
【図４】実施形態に係る模擬紙幣の構成を示す図（３）である。
【図５】実施形態に係る模擬紙幣の構成を示す図（４）である。
【図６Ａ】入金テスト時の実施形態に係る紙幣処理装置の動作を示すフローチャート（１）である。
【図６Ｂ】入金テスト時の実施形態に係る紙幣処理装置の動作を示すフローチャート（２）である。
【図７】出金テスト時の実施形態に係る紙幣処理装置の動作を示すフローチャートである。
【発明を実施するための形態】
【００１８】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１９】
［実施形態］
＜紙幣処理装置の構成＞
以下、図１を参照して、本実施形態に係る紙幣処理装置の構成につき説明する。図１は、実施形態に係る紙幣処理装置の構成を示す図である。ここでは、本実施形態に係る紙幣処理装置は、金融機関や流通機関の施設に設置されている自動取引装置であるものとして説明する。しかしながら、紙幣処理装置は、紙幣を鑑別したり搬送したりする装置であれば、例えば、金融機関の窓口に設置されている窓口装置や、流通機関の店頭に設置されているレジスタ機、その他の装置であってもよい。
【００２０】
紙幣処理装置の一種である自動取引装置１は、接客部１５、搬送機構２０、鑑別部２５、一時保留部３０、補充回収カセット３５、リジェクト部４０、紙幣収納カセット４５、制御部５０、及び、記憶部５５を有している。
【００２１】
接客部１５は、顧客との間で各種の取引処理を行うに際して、顧客に様々なデータを提示したり、顧客から様々な指示やデータを受け付けたりする手段である。接客部１５は、自動取引装置１の操作面に設けられ、図示せぬ表示部と入力部とで構成される。表示部は、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）等によって構成され、取引選択画面、あるいは顧客に操作を促すメッセージを表した画面等を表示する。また、入力部は、タッチパネル等によって構成され、表示部に表示された画面に対して、指等によって接触された位置を検出して、顧客の応答を取得する。
接客部１５は、紙幣が投入及び放出される入出金口１５ａを備えている。
【００２２】
搬送機構２０は、自動取引装置１内の各部に紙幣を搬送する機構である。
鑑別部２５は、紙幣の画像や磁気データ等を読み取って、紙幣を鑑別する手段である。
一時保留部３０は、入金処理時や出金処理時に紙幣を一時保留する部位である。
【００２３】
補充回収カセット３５は、自動取引装置１に補充する紙幣及び自動取引装置１から回収する紙幣を収納する収納庫である。補充回収カセット３５は、自動取引装置１に対して着脱自在な構成となっている。補充回収カセット３５は、自動取引装置１に装着されると、内部に収納されている補充用の紙幣が搬送機構２０によって繰り出される。繰り出された補充用の紙幣は、紙幣収納カセット４５ａ〜４５ｄの中の対応する金種のカセットまで搬送されて、そのカセットの中に収納される。また、搬送機構２０は、紙幣収納カセット４５ａ〜４５ｄの中から回収用の紙幣を繰り出して補充回収カセット３５まで搬送する。搬送された回収用の紙幣は、補充回収カセット３５の中に収納される。
【００２４】
リジェクト部４０は、還流使用が不能な紙幣を収納する収納庫である。リジェクト部４０は、取り忘れカセット４０ａ、損券カセット４０ｂ、及び、リジェクトカセット４０ｃを備えている。取り忘れカセット４０ａは、顧客が取り忘れた紙幣を収納する収納庫である。損券カセット４０ｂは、損券（還流使用が不能な破損度が大きい紙幣）を収納する収納庫である。リジェクトカセット４０ｃは、入金処理時や、出金処理時、振込処理時等に、リジェクトされた紙幣を収納する収納庫である。
紙幣収納カセット４５は、紙幣を種類毎に収納する収納庫である。図１に示す例では、自動取引装置１は、４つの紙幣収納カセット４５ａ〜４５ｄを有している。
【００２５】
制御部５０は、各部の動作を制御する手段である。制御部５０は、ＣＰＵによって構成されている。本実施形態では、制御部５０は、鑑別部２５に、自動取引装置１による取扱可能な複数種類の紙幣の中で一番小さい紙幣のサイズよりも小さな領域として、模擬紙幣に予め設定されている印刷範囲を対象にして、模擬紙幣の金種を特定する金種特定マークを読み取らせる。具体的には、制御部５０は、鑑別部２５によって取得される模擬紙幣ＳＭ（図５参照）の画像データの中から、後記する印刷範囲ＰＲ（図５参照）に表示されている後記する金種特定マークＭＫ（図５参照）の画像を認識する。これにより、制御部５０は、模擬紙幣ＳＭの金種を特定する。
記憶部５５は、テストプログラム６５を含む、各部の動作を制御するためのプログラムやデータを記憶する手段である。記憶部５５は、ＲＡＭや、ＲＯＭ、ＨＤＤ等によって構成されている。
【００２６】
テストプログラム６５は、例えば、図６Ａ及び図６Ｂに示す入金テスト時の動作や図７に示す出金テスト時の動作を制御部５０に行わせるためのプログラムである。本実施形態では、テストプログラム６５は、記憶媒体６０を介して自動取引装置１にインストールされるものとして説明する。しかしながら、テストプログラム６５は、図示せぬネットワークを介して、外部の機器から自動取引装置１にダウンロードされるようにしてもよい。なお、記憶媒体６０は、テストプログラム６５を予め記憶する媒体である。記憶媒体６０は、例えば、ＵＳＢメモリ等のメモリ部材や、ＨＤＤ装置、ＣＤ−ＲＯＭやＤＶＤ等の光学媒体、フレキシブルディスク等の磁気媒体、その他の形態となっている。
【００２７】
＜模擬紙幣の構成＞
以下、図２〜図５を参照して、本実施形態に係る模擬紙幣の構成につき説明する。図２〜図５は、それぞれ、実施形態に係る模擬紙幣の構成を示す図である。
【００２８】
図２は、各国で用いられている紙幣の金種の一覧を示している。
図２は、例えば、日本では、「円」を通貨単位とし、金額の小さい方から順に、金種１〜金種４に該当する紙幣として、１０００円券（千円券）、２０００円券（二千円券）、５０００円券（五千円券）、及び、１００００円券（１万円券）の４種類の紙幣が用いられていることを示している。
同様に、図２は、ヨーロッパでは、「ユーロ」を通貨単位とし、金額の小さい方から順に、金種１〜金種８に該当する紙幣として、１ユーロ券、２ユーロ券、５ユーロ券、１０ユーロ券、２０ユーロ券、５０ユーロ券、１００ユーロ券、及び、５００ユーロ券の８種類の紙幣が用いられていることを示している。
【００２９】
図３は、本実施形態に係る模擬紙幣ＳＭの外観を示している。ここでは、模擬紙幣ＳＭの横幅を「Ｗ」とし、縦幅を「Ｈ」として説明する。模擬紙幣ＳＭは、自動取引装置１の各種のテスト、特に、紙幣の厚さや材質等に関係しない項目のテスト（例えば、自動取引装置１内部の各部品や各機構の動作確認のための、各サイズの紙幣媒体の走行テスト等）に活用される。また、模擬紙幣ＳＭは、自動取引装置１を動作させるアプリケーションソフトウェアのデバッグ等にも活用される。
図３（ａ）は、金種８（図２参照）の模擬紙幣ＳＭの構成を示している。一方、図３（ｂ）は、金種３（図２参照）の模擬紙幣ＳＭの構成を示している。模擬紙幣ＳＭは、例えば、坪量１００ｇ／ｍ２及び厚さ１００μｍの用紙によって構成されている。
【００３０】
図３に示すように、模擬紙幣ＳＭは、金種特定マーク（すなわち、各券（媒体）に固有の金種を特定するためのマーク）ＭＫが、例えば墨インキによって所定の印刷範囲ＰＲ（図５参照）の内部に印刷されている。金種特定マークＭＫは、個々のマークが方形状（図３に示す例では、正方形状）に形成されており、その方形状のマークが同一通貨単位内で発行されている各紙幣に付された金額の大小の順番を表す金種の順番に対応する個数分だけ設けられた構成となっている。例えば、図３（ａ）に示す模擬紙幣ＳＭは、金種特定マークＭＫとして、方形状のマークが８個印刷されている。したがって、図３（ａ）に示す模擬紙幣ＳＭは、金種８の紙幣に対応している。また、図３（ｂ）に示す模擬紙幣ＳＭは、金種特定マークＭＫとして、方形状のマークが３個印刷されている。したがって、図３（ｂ）に示す模擬紙幣ＳＭは、金種３の紙幣に対応している。
【００３１】
以下、各模擬紙幣ＳＭを、金種毎に区別して説明する場合に、金種特定マークＭＫを構成する方形状のマークの個数に応じて、模擬紙幣を表す符号「ＳＭ」の末尾に、数字「１〜８」を付して説明する。また、同様に、各模擬紙幣ＳＭのサイズを、金種毎に区別して説明する場合に、模擬紙幣ＳＭの横幅を表す符号「Ｗ」の末尾及び縦幅を表す符号「Ｈ」の末尾に、それぞれ、数字「１」〜「８」を付して説明する。
【００３２】
図３（ａ）に示す金種８の模擬紙幣ＳＭ８としては、例えば５００ユーロ券の模擬紙幣がある（図２参照）。５００ユーロ券の模擬紙幣ＳＭ８は、自動取引装置１による取扱可能な紙幣の中でサイズが最も大きな券となっている。そのサイズは、横幅Ｗ８が１６０ｍｍで、縦幅Ｈ８が８２ｍｍとなっている。
一方、図３（ｂ）に示す金種３の模擬紙幣ＳＭ３としては、例えば５ユーロ券の模擬紙幣がある（図２参照）。５ユーロ券の模擬紙幣ＳＭ３は、自動取引装置１による取扱可能な紙幣の中でサイズが最も小さな券となっている。そのサイズは、横幅Ｗ３が１２０ｍｍで、縦幅Ｈ３が６２ｍｍとなっている。
【００３３】
図４は、図３と同様に、本実施形態に係る模擬紙幣ＳＭの外観を示している。
図４（ａ）は、金種１の模擬紙幣ＳＭ１の構成を示している。金種１の模擬紙幣ＳＭ１は、例えば、対象国が日本の場合に１０００円券の模擬紙幣となり、対象国が中国の場合に１０元券の模擬紙幣となる（図２参照）。
図４（ｂ）は、金種２の模擬紙幣ＳＭ２の構成を示している。金種２の模擬紙幣ＳＭ２は、例えば、対象国が日本の場合に２０００円券の模擬紙幣となり、対象国が中国の場合に２０元券の模擬紙幣となる（図２参照）。
図４（ｃ）は、金種８の模擬紙幣ＳＭ８の構成を示している。金種８の模擬紙幣ＳＭ８は、例えば、対象国が日本や中国等の場合に該当する模擬紙幣が存在しない（図２参照）。
このように、金種特定マークＭＫは、方形状のマークの個数が、金種、すなわち、同一通貨単位内で発行されている各紙幣に付された金額の大小の順番を表している。
【００３４】
図５は、異なる通貨単位間で使い回しするための模擬紙幣ＳＭの構成を示している。具体的には、図５は、金種４の各通貨単位の模擬紙幣ＳＭ４の中でも、比較的大きなサイズの模擬紙幣ＳＭ４Ｙｅｎからそれよりも小さなサイズの模擬紙幣ＳＭ４Ｅｕｒｏを作成する場合の構成を示している。ここで、「模擬紙幣ＳＭ４Ｙｅｎ」とは、日本の金種４の模擬紙幣（すなわち、「１万円」券の模擬紙幣）を意味している。また、「模擬紙幣ＳＭ４Ｅｕｒｏ」とは、ヨーロッパの金種４の模擬紙幣（すなわち、「１０ユーロ」券の模擬紙幣）を意味している。
【００３５】
図５に示すように、模擬紙幣ＳＭは、最内部に印刷範囲ＰＲが設けられ、その周囲に、切断線ＣＬによって区画された切り取りエリアＣＡが設けられた構成となっている。
印刷範囲ＰＲは、金種特定マークＭＫが印刷される範囲である。印刷範囲ＰＲは、すべての模擬紙幣ＳＭに共通して、自動取引装置１による取扱可能な複数種類の紙幣の中で一番小さい紙幣のサイズよりも小さな領域として予め設定されている。
【００３６】
切断線ＣＬは、大きなサイズの模擬紙幣からそれよりも小さなサイズの模擬紙幣を作成する場合に、切断される線である。図５に示す例では、切断線ＣＬは、模擬紙幣ＳＭ４Ｅｕｒｏと模擬紙幣ＳＭ４Ｙｅｎとの境目を表している。以下、図５に示す切断線ＣＬを、「切断線ＣＬＥｕｒｏ」と称する。切断線ＣＬＥｕｒｏは、模擬紙幣ＳＭ４Ｙｅｎから模擬紙幣ＳＭ４Ｅｕｒｏを作成する場合に、切断される。
なお、切断線ＣＬの数は、使い回される通貨単位の種類が増えると、それに伴って増加する。例えば、切断線ＣＬの数は、使い回される通貨単位の種類を「Ｎ」種類とする場合に、「Ｎ−１」本となる。
【００３７】
切り取りエリアＣＡは、大きなサイズの模擬紙幣からそれよりも小さなサイズの模擬紙幣を作成する場合に、切り取られるエリアである。
なお、図５に示す例では、模擬紙幣ＳＭは、切断線ＣＬ又は模擬紙幣ＳＭの輪郭を指し示す「通貨単位ＣＵ」が印刷された構成となっている。「通貨単位ＣＵ」は、指し示す切断線ＣＬや模擬紙幣ＳＭの輪郭がいずれの通貨単位の模擬紙幣の輪郭であるのかを表している。
【００３８】
日本の金種４の模擬紙幣（すなわち、１万円券の模擬紙幣）である模擬紙幣ＳＭ４Ｙｅｎのサイズは、横幅をＷ４Ｙｅｎとし、縦幅をＨ４Ｙｅｎとする場合に、横幅Ｗ４Ｙｅｎが１６０ｍｍで、縦幅Ｈ４Ｙｅｎが７６ｍｍとなっている。
一方、ヨーロッパの金種４の模擬紙幣（すなわち、１０ユーロ券の模擬紙幣）である模擬紙幣ＳＭ４Ｅｕｒｏのサイズは、横幅をＷ４Ｅｕｒｏとし、縦幅をＨ４Ｅｕｒｏとする場合に、横幅Ｗ４Ｅｕｒｏが１２７ｍｍで、縦幅Ｈ４Ｅｕｒｏが６７ｍｍとなっている。
１万円券の模擬紙幣ＳＭ４Ｙｅｎは、切り取りエリアＣＡが切断線ＣＬＥｕｒｏに沿って切り取られることによって、１０ユーロ券の模擬紙幣ＳＭ４Ｅｕｒｏとして用いることができる。
【００３９】
＜模擬紙幣を用いたテスト時の紙幣処理装置の動作＞
製造技術者は、自動取引装置１の製造検査時に、自動取引装置１内部の各部品や各機構の動作確認を行うために、模擬紙幣ＳＭを用いて入金テストや出金テスト等を行う。また、保守員は、自動取引装置１の保守点検時に、自動取引装置１内部の各部品や各機構の動作確認を行うために、模擬紙幣ＳＭを用いて入金テストや出金テスト等を行う。また、ソフトウェア技術者は、自動取引装置１を動作させるアプリケーションソフトウェアの作成時に、ソフトウェアのデバッグを行うために、模擬紙幣ＳＭを用いて入金テストや出金テスト等を行う。
【００４０】
以下、図６Ａ、図６Ｂ、及び、図７を参照して、模擬紙幣ＳＭを用いたテスト時の自動取引装置１の動作につき説明する。図６Ａ及び図６Ｂは、それぞれ、入金テスト時の実施形態に係る紙幣処理装置の動作を示すフローチャートである。一方、図７は、出金テスト時の実施形態に係る紙幣処理装置の動作を示すフローチャートである。ここでは、（１）日本向け自動取引装置１のテスト、（２）ヨーロッパ向け自動取引装置１のテスト、（３）中国向け自動取引装置１のテストの３つのテストを例示して説明する。
【００４１】
（日本向け自動取引装置のテスト）
以下、日本向け自動取引装置１のテストにつき説明する。ここでは、日本向け自動取引装置１の製造検査時に、自動取引装置１内部の各部品や各機構の動作確認を行うために、１万円券の模擬紙幣ＳＭ４Ｙｅｎを用いてテストを行うものとして説明する。以下、まず、図６Ａ及び図６Ｂを参照して、１万円券の模擬紙幣ＳＭ４Ｙｅｎを用いて入金テストを行う場合の自動取引装置１の動作について説明し、次に、図７を参照して、１万円券の模擬紙幣ＳＭ４Ｙｅｎを用いて出金テストを行う場合の自動取引装置１の動作について説明する。なお、自動取引装置１の構成については、図１を参照するものとする。また、ここでは、自動取引装置１の搬送機構２０によって搬送される紙幣を「紙幣媒体」と称する。
【００４２】
（入金テスト）
入金テストに際して、自動取引装置１の製造技術者は、テストの実行者となり、製造検査時の自動取引装置１内部の各部品や各機構の動作を確認するためのテストプログラム６５を自動取引装置１にインストールする。次に、テストの実行者は、図示せぬ操作部を操作してテストプログラム６５を起動させる。そして、テストの実行者は、自動取引装置１の使用対象国（地域）を日本に設定して、テストプログラム６５を用いて、自動取引装置１の制御部５０に入金テストを実行させる。これにより、自動取引装置１の制御部５０は、使用対象国（地域）を日本とする、入金テスト時の動作を開始する。
【００４３】
入金テストでは、図６Ａ及び図６Ｂに示すように、まず、自動取引装置１の制御部５０は、入出金口１５ａの図示せぬシャッタを開放（入出金口開放）させる（Ｓ１０５）。テストの実行者は、入出金口１５ａの図示せぬシャッタが開放されると、１乃至複数枚の紙幣媒体（ここでは、１万円券の模擬紙幣ＳＭ４Ｙｅｎ）を入出金口１５ａに挿入する。
【００４４】
制御部５０は、入出金口１５ａの周囲に設けられた図示せぬ検知センサの検知状況によって、紙幣媒体（ここでは、１万円券の模擬紙幣ＳＭ４Ｙｅｎ）が挿入されたか否かを判定する（Ｓ１１０）。Ｓ１１０の判定で、紙幣媒体が挿入されたと判定された場合（“Ｙｅｓ”の場合）に、処理は、Ｓ１１５に進む。一方、Ｓ１１０の判定で、紙幣媒体が挿入されていないと判定された場合（“Ｎｏ”の場合）に、処理は、Ｓ１２０に進む。
【００４５】
すなわち、Ｓ１１０の判定で、紙幣媒体が挿入されたと判定された場合（“Ｙｅｓ”の場合）に、制御部５０は、入出金口１５ａの図示せぬシャッタを閉鎖（入出金口閉鎖）させる（Ｓ１１５）。
一方、Ｓ１１０の判定で、紙幣媒体が挿入されていないと判定された場合（“Ｎｏ”の場合）に、制御部５０は、入出金口１５ａの図示せぬシャッタが開放されてから所定時間が経過したか否かを判定する（Ｓ１２０）。
【００４６】
Ｓ１２０の判定で、所定時間が経過したと判定された場合（“Ｙｅｓ”の場合）に、制御部５０は、入出金口１５ａの図示せぬシャッタを閉鎖（入出金口閉鎖）させる（Ｓ１２２）。これにより、処理は、終了となる。一方、Ｓ１２０の判定で、所定時間が経過していないと判定された場合（“Ｎｏ”の場合）に、処理は、Ｓ１１０に戻る。この場合に、Ｓ１１０及びＳ１２０の処理が繰り返し行われる。
【００４７】
Ｓ１１５の後、制御部５０は、搬送機構２０を駆動させて、入出金口１５ａから紙幣媒体を１枚ずつ繰り出させて鑑別部２５に搬送させる（Ｓ１２５）。そして、制御部５０は、鑑別部２５を作動させて、各紙幣媒体が鑑別部２５を通過する度に、印刷範囲ＰＲ（図５参照）に基づく金種鑑別を行う（Ｓ１３０）。このとき、鑑別部２５は、図示せぬイメージセンサによって、通過した紙幣媒体（ここでは、１万円券の模擬紙幣ＳＭ４Ｙｅｎ）の画像を取得し、画像データを制御部５０に出力する。制御部５０は、鑑別部２５から紙幣媒体の画像データが入力されると、紙幣鑑別アルゴリズムに基づいて、入力された紙幣媒体の画像データの中の印刷範囲ＰＲの画像を対象にして、紙幣媒体の金種を鑑別する。ここでは、鑑別部２５を通過する紙幣媒体は、１万円券の模擬紙幣ＳＭ４Ｙｅｎであり、金種特定マークＭＫとして４つの方形状のマークが印刷されている。そのため、制御部５０は、紙幣媒体の金種を金種４に該当する「１万円」として鑑別する。以下、鑑別された金種を「鑑別金種」と称する。なお、鑑別部２５を通過する紙幣媒体（すなわち、テストの実行者が入出金口１５ａに挿入した紙幣媒体）が例えば白紙である場合に、制御部５０は、紙幣鑑別アルゴリズムに基づいて、紙幣媒体をリジェクト券として鑑別する。
【００４８】
制御部５０は、Ｓ１３０の金種鑑別により、紙幣媒体の金種が特定されたか否かを判定する（Ｓ１３５）。Ｓ１３５の判定で、紙幣媒体の金種が特定されたと判定された場合（“Ｙｅｓ”の場合）に、処理は、Ｓ１４０に進む。一方、Ｓ１３５の判定で、紙幣媒体の金種が特定されていないと判定された場合（“Ｎｏ”の場合）に、処理は、Ｓ１４５に進む。
【００４９】
すなわち、Ｓ１３５の判定で、紙幣媒体の金種が特定されたと判定された場合（“Ｙｅｓ”の場合）に、制御部５０は、搬送機構２０を駆動させながら、鑑別部２５よりも下流に設けられた図示せぬ一時保留部／入出金口切り替え用のブレードの搬送方向を一時保留部３０側に切り替えさせる。これにより、制御部５０は、紙幣媒体を鑑別部２５から一時保留部３０に搬送させて（Ｓ１４０）、一時保留部３０に保留させる。
【００５０】
一方、Ｓ１３５の判定で、紙幣媒体の金種が特定されないと判定された場合（“Ｎｏ”の場合）に、例えば、紙幣媒体が白紙である場合に、制御部５０は、搬送機構２０を駆動させながら、鑑別部２５よりも下流に設けられた図示せぬ一時保留部／入出金口切り替え用の搬送方向を入出金口１５ａ側に切り替えさせる。これにより、制御部５０は、紙幣媒体を鑑別部２５から入出金口１５ａに搬送させて（Ｓ１４５）、入出金口１５ａに集積させる。
【００５１】
Ｓ１４０の後、制御部５０は、入出金口１５ａに挿入されたすべての紙幣媒体が入出金口１５ａから繰り出されると、テストの実行者用の図示せぬ表示操作部（又は、接客部１５の図示せぬ表示操作部）に「確認」及び「キャンセル」の選択ボタンを表示させる。テストの実行者用が「確認」ボタンを押下すると、制御部５０は、再び搬送機構２０を駆動させて、一時保留部３０から紙幣媒体を１枚ずつ繰り出させて鑑別部２５に搬送させる（Ｓ１５０）。
【００５２】
そして、制御部５０は、鑑別部２５を作動させて、各紙幣媒体が鑑別部２５を通過する度に、各紙幣媒体の外観に基づく破損状況識別を行う（Ｓ１５５）。このとき、鑑別部２５は、図示せぬイメージセンサにより、通過した紙幣媒体（ここでは、１万円券の模擬紙幣ＳＭ４Ｙｅｎ）の画像を取得し、画像データを制御部５０に出力する。制御部５０は、鑑別部２５から紙幣媒体の画像データが入力されると、紙幣鑑別アルゴリズムに基づいて、入力された紙幣媒体の画像データから、擦過傷や破れ目等の紙幣媒体の外観上の破損箇所を検出する。
【００５３】
制御部５０は、Ｓ１５５の破損状況識別により、紙幣媒体が破損していないかを判定する（Ｓ１６０）。Ｓ１６０の判定で、紙幣媒体が破損なしと判定された場合（“Ｙｅｓ”の場合）に、処理は、Ｓ１６５に進む。一方、Ｓ１６０の判定で、紙幣媒体が破損ありと判定された場合（“Ｎｏ”の場合）に、処理は、Ｓ１７０に進む。
【００５４】
すなわち、Ｓ１６０の判定で、紙幣媒体が破損なしと判定された場合（“Ｙｅｓ”の場合）に、制御部５０は、搬送機構２０を駆動させながら、鑑別部２５よりも下流に設けられた図示せぬ紙幣収納カセット／リジェクト部切り替え用のブレードの搬送方向を紙幣収納カセット４５側に切り替えさせる。この後、制御部５０は、紙幣媒体を鑑別部２５から鑑別金種（ここでは、１万円）の紙幣収納カセット４５に搬送させて（Ｓ１６５）、鑑別金種の紙幣収納カセット４５に集積させる。これにより、処理は、終了となる。
【００５５】
一方、Ｓ１６０の判定で、紙幣媒体が破損ありと判定された場合（“Ｎｏ”の場合）に、制御部５０は、搬送機構２０を駆動させながら、鑑別部２５よりも下流に設けられた図示せぬ紙幣収納カセット／リジェクト部切り替え用のブレードの搬送方向をリジェクト部４０側に切り替えさせる。この後、制御部５０は、紙幣媒体を鑑別部２５からリジェクト部４０の損券カセット４０ｂに搬送させて（Ｓ１７０）、損券カセット４０ｂに集積させる。これにより、処理は、終了となる。
【００５６】
Ｓ１４５の後、制御部５０は、入出金口１５ａの図示せぬシャッタを開放（入出金口開放）させる（Ｓ１７５）。テストの実行者は、入出金口１５ａから紙幣媒体を抜き取る。これにより、金種が特定されなかった紙幣媒体が、テストの実行者に返却される。
【００５７】
Ｓ１７５の後、制御部５０は、入出金口１５ａの周囲に設けられた図示せぬ検知センサの検知状況によって、紙幣媒体の抜き取りが検知されたか否かを判定する（Ｓ１８０）。Ｓ１８０の判定で、紙幣媒体の抜き取りが検知されたと判定された場合（“Ｙｅｓ”の場合）に、処理は、Ｓ１８５に進む。一方、Ｓ１８０の判定で、紙幣媒体の抜き取りが検知されていないと判定された場合（“Ｎｏ”の場合）に、処理は、Ｓ１９０に進む。
【００５８】
すなわち、Ｓ１８０の判定で、紙幣媒体の抜き取りが検知されたと判定された場合（“Ｙｅｓ”の場合）に、制御部５０は、入出金口１５ａの図示せぬシャッタを閉鎖（入出金口閉鎖）させる（Ｓ１８５）。これにより、処理は、終了となる。
【００５９】
一方、Ｓ１８０の判定で、紙幣媒体の抜き取りが検知されていないと判定された場合（“Ｎｏ”の場合）に、制御部５０は、入出金口１５ａの図示せぬシャッタが開放されてから所定時間が経過したか否かを判定する（Ｓ１９０）。
【００６０】
Ｓ１９０の判定で、所定時間が経過したと判定された場合（“Ｙｅｓ”の場合）に、制御部５０は、入出金口１５ａの図示せぬシャッタを閉鎖（入出金口閉鎖）させる（Ｓ１９５）。次に、制御部５０は、搬送機構２０を駆動させながら、図示せぬ紙幣収納カセット／リジェクト部切り替え用のブレードの搬送方向をリジェクト部４０側に切り替えさせる。この後、制御部５０は、紙幣媒体を入出金口１５ａからリジェクト部４０の取り忘れカセット４０ａに搬送させて（Ｓ２００）、取り忘れカセット４０ａに集積させる。これにより、処理は、終了となる。
一方、Ｓ１９０の判定で、所定時間が経過していないと判定された場合（“Ｎｏ”の場合）に、処理は、Ｓ１８０に戻る。この場合に、Ｓ１８０及びＳ１９０の処理が繰り返し行われる。
【００６１】
テストの実行者は、Ｓ１６５で鑑別金種の紙幣収納カセット４５に搬送された各紙幣媒体を各紙幣収納カセット４５から抜き取り、目視にて、各紙幣媒体の状況（例えば、破損や擦過傷等が各紙幣媒体に無いかや、各紙幣媒体の金種が紙幣収納カセット４５に設定された金種に一致するか等）を確認する。各紙幣媒体の状況が適正である場合（例えば、破損や擦過傷等が各紙幣媒体になく、かつ、各紙幣媒体の金種が紙幣収納カセット４５に設定された金種に一致する場合）に、テストの実行者は、自動取引装置１の入金テストを、「合格」と判定する。
【００６２】
（出金テスト）
次に、図７を参照して、１万円券の模擬紙幣ＳＭ４Ｙｅｎを用いて出金テストを行う場合の自動取引装置１の動作について説明する。
出金テストに際して、テストの実行者は、１万円券の模擬紙幣ＳＭ４Ｙｅｎを、自動取引装置１の「１万円券」に対応する紙幣収納カセット４５に収納する。なお、テストの実行者は、他の金種の模擬紙幣ＳＭを用いる場合には、当然ながら、その模擬紙幣ＳＭを、模擬紙幣ＳＭの金種に対応する紙幣収納カセット４５に収納する。
【００６３】
次に、テストの実行者は、図示せぬ操作部を操作して入金テスト時に自動取引装置１にインストールされたテストプログラム６５を起動させる。そして、テストの実行者は、自動取引装置１の使用対象国（地域）を日本に設定し、さらに、出金する紙幣の金種及び枚数を指定して、テストプログラム６５を用いて、自動取引装置１の制御部５０に出金テストを実行させる。これにより、自動取引装置１の制御部５０は、使用対象国（地域）を日本とする、出金テスト時の動作を開始する。以下、出金する紙幣の金種を「指定金種」と称する。また、出金する紙幣の枚数を「指定枚数」と称する。ここでは、テストの実行者は、指定金種として、金種４に該当する「１万円」を指定するものとして説明する。
【００６４】
図７に示すように、出金テストでは、まず、自動取引装置１の制御部５０は、搬送機構２０を駆動させて、指定金種の紙幣収納カセット４５から紙幣媒体を指定枚数分だけ１枚ずつ繰り出させて（Ｓ６０５）、鑑別部２５に搬送させる（Ｓ６１０）。
【００６５】
そして、制御部５０は、鑑別部２５を作動させて、各紙幣媒体が鑑別部２５を通過する度に、印刷範囲ＰＲ（図５参照）に基づく金種鑑別を行う（Ｓ６１５）。このとき、鑑別部２５は、図示せぬイメージセンサによって、通過した紙幣媒体（ここでは、１万円券の模擬紙幣ＳＭ４Ｙｅｎ）の画像を取得し、画像データを制御部５０に出力する。制御部５０は、鑑別部２５から紙幣媒体の画像データが入力されると、紙幣鑑別アルゴリズムに基づいて、入力された紙幣媒体の画像データの中の印刷範囲ＰＲの画像を対象にして、紙幣媒体の金種を鑑別する。ここでは、鑑別部２５を通過する紙幣媒体は、１万円券の模擬紙幣ＳＭ４Ｙｅｎであり、金種特定マークＭＫとして４つの方形状のマークが印刷されている。そのため、制御部５０は、紙幣媒体を金種４に該当する１万円券の模擬紙幣ＳＭ４Ｙｅｎとして鑑別する。
【００６６】
制御部５０は、Ｓ６１５の金種鑑別により、紙幣媒体の金種が指定金種であるか否かを判定する（Ｓ６２０）。Ｓ６２０の判定で、紙幣媒体の金種が指定金種であると判定された場合（“Ｙｅｓ”の場合）に、処理は、Ｓ６２５に進む。一方、Ｓ６２０の判定で、紙幣媒体の金種が指定金種でないと判定された場合（“Ｎｏ”の場合）に、処理は、Ｓ６３０に進む。
【００６７】
すなわち、Ｓ６２０の判定で、紙幣媒体の金種が指定金種であると判定された場合（“Ｙｅｓ”の場合）に、制御部５０は、各紙幣媒体の外観に基づく破損状況識別を行う（Ｓ６２５）。このとき、制御部５０は、Ｓ６１５の金種鑑別により、入力された紙幣媒体の画像データから、擦過傷や破れ目等の紙幣媒体の外観上の破損箇所を検出する。
【００６８】
一方、Ｓ６２０の判定で、紙幣媒体の金種が指定金種でないと判定された場合（“Ｎｏ”の場合）に、例えば、紙幣媒体の金種が指定金種と異なる金種である場合や白紙のように金種が不明である場合に、制御部５０は、搬送機構２０を駆動させながら、鑑別部２５よりも下流に設けられた図示せぬ入出金口／リジェクト部切り替え用の搬送方向をリジェクト部４０側に切り替えさせる。この後、制御部５０は、紙幣媒体を鑑別部２５からリジェクト部４０に搬送させて（Ｓ６３０）、リジェクト部４０のリジェクトカセット４０ｃに集積させる。これにより、処理は、終了する。
【００６９】
Ｓ６２５の後、制御部５０は、Ｓ６２５の破損状況識別により、紙幣媒体が破損していないかを判定する（Ｓ６３５）。Ｓ６３５の判定で、紙幣媒体が破損なしと判定された場合（“Ｙｅｓ”の場合）に、処理は、Ｓ６４０に進む。一方、Ｓ６３５の判定で、紙幣媒体が破損ありと判定された場合（“Ｎｏ”の場合）に、処理は、Ｓ６４５に進む。
【００７０】
すなわち、Ｓ６３５の判定で、紙幣媒体が破損なしと判定された場合（“Ｙｅｓ”の場合）に、制御部５０は、搬送機構２０を駆動させながら、鑑別部２５よりも下流に設けられた図示せぬ入出金口／リジェクト部切り替え用のブレードの搬送方向を入出金口１５ａ側に切り替えさせる。これにより、制御部５０は、紙幣媒体を鑑別部２５から入出金口１５ａに搬送させて（Ｓ６４０）、入出金口１５ａに集積させる。
【００７１】
一方、Ｓ６３５の判定で、紙幣媒体が破損ありと判定された場合（“Ｎｏ”の場合）に、制御部５０は、搬送機構２０を駆動させながら、鑑別部２５よりも下流に設けられた図示せぬ入出金口／リジェクト部切り替え用のブレードの搬送方向をリジェクト部４０側に切り替えさせる。この後、制御部５０は、紙幣媒体を鑑別部２５からリジェクト部４０の損券カセット４０ｂに搬送させて（Ｓ６４５）、損券カセット４０ｂに集積させる。これにより、処理は、終了となる。
【００７２】
Ｓ６４０の後、制御部５０は、入出金口１５ａの図示せぬシャッタを開放（入出金口開放）させて（Ｓ６５０）、紙幣媒体を出金紙幣としてテストの実行者に抜き取らせる。これにより、指定金種の紙幣媒体が、テストの実行者に支払われる。
【００７３】
Ｓ６５０の後、制御部５０は、入出金口１５ａの周囲に設けられた図示せぬ検知センサの検知状況によって、紙幣媒体の抜き取りが検知されたか否かを判定する（Ｓ６５５）。Ｓ６５５の判定で、紙幣媒体の抜き取りが検知されたと判定された場合（“Ｙｅｓ”の場合）に、処理は、Ｓ６６０に進む。一方、Ｓ６５５の判定で、紙幣媒体の抜き取りが検知されていないと判定された場合（“Ｎｏ”の場合）に、処理は、Ｓ６６５に進む。
【００７４】
すなわち、Ｓ６５５の判定で、紙幣媒体の抜き取りが検知されたと判定された場合（“Ｙｅｓ”の場合）に、制御部５０は、入出金口１５ａの図示せぬシャッタを閉鎖（入出金口閉鎖）させる（Ｓ６６０）。これにより、処理は、終了となる。
【００７５】
一方、Ｓ６５５の判定で、紙幣媒体の抜き取りが検知されていないと判定された場合（“Ｎｏ”の場合）に、制御部５０は、入出金口１５ａの図示せぬシャッタが開放されてから所定時間が経過したか否かを判定する（Ｓ６６５）。
【００７６】
Ｓ６６５の判定で、所定時間が経過したと判定された場合（“Ｙｅｓ”の場合）に、制御部５０は、入出金口１５ａの図示せぬシャッタを閉鎖（入出金口閉鎖）させる（Ｓ６７０）。次に、制御部５０は、搬送機構２０を駆動させながら、図示せぬ紙幣収納カセット／リジェクト部切り替え用のブレードの搬送方向をリジェクト部４０側に切り替えさせる。この後、制御部５０は、紙幣媒体を入出金口１５ａからリジェクト部４０の取り忘れカセット４０ａに搬送させて（Ｓ６７５）、取り忘れカセット４０ａに集積させる。これにより、処理は、終了となる。
一方、Ｓ６６５の判定で、所定時間が経過していないと判定された場合（“Ｎｏ”の場合）に、処理は、Ｓ６５５に戻る。この場合に、Ｓ６５５及びＳ６６５の処理が繰り返し行われる。
【００７７】
テストの実行者は、Ｓ６４０で入出金口１５ａに搬送された各紙幣媒体を入出金口１５ａから抜き取り、目視にて、各紙幣媒体の状況（例えば、破損や擦過傷等が各紙幣媒体に無いかや、各紙幣媒体の金種が指定金種であるか、各紙幣媒体の枚数が指定枚数であるか等）を確認する。各紙幣媒体の状況が適正である場合（例えば、破損や擦過傷等が各紙幣媒体になく、各紙幣媒体の金種が指定金種であり、かつ、各紙幣媒体の枚数が指定枚数である場合）に、テストの実行者は、自動取引装置１の出金テストを、「合格」と判定する。
このようにして、テストプログラム６５は、模擬紙幣ＳＭを用いて日本向け自動取引装置１の品質確認を行う。
【００７８】
（ヨーロッパ向け自動取引装置のテスト）
以下、ヨーロッパ向け自動取引装置１のテストにつき説明する。ここでは、ヨーロッパ向け自動取引装置１の保守点検時に、自動取引装置１内部の各部品や各機構の動作確認を行うために、１０ユーロ券の模擬紙幣ＳＭ４Ｅｕｒｏを用いてテストを行うものとして説明する。
【００７９】
テストの実行者となる自動取引装置１の保守員は、事前に、１万円券の模擬紙幣ＳＭ４Ｙｅｎの切り取りエリアＣＡを切断線ＣＬＥｕｒｏに沿って切り取ることによって、１０ユーロ券の模擬紙幣ＳＭ４Ｅｕｒｏを用意する。この１０ユーロ券の模擬紙幣ＳＭ４Ｅｕｒｏは、１万円券の模擬紙幣ＳＭ４Ｙｅｎに印刷されていた金種特定マークＭＫを構成する４つの方形状のマークが、印刷範囲ＰＲに残存している。そのため、この模擬紙幣ＳＭ４Ｅｕｒｏは、金種４の模擬紙幣ＳＭ４として自動取引装置１に認識される。テストの実行者は、自動取引装置１の使用対象国（地域）をヨーロッパに設定して、テストプログラム６５を用いて、自動取引装置１の制御部５０にテストを実行させる。これによって、テストの実行者は、この模擬紙幣ＳＭ４Ｅｕｒｏを用いて１０ユーロ券に対応する自動取引装置１の動作テストを行うことができる。
【００８０】
（入金テスト）
入金テストに際して、自動取引装置１の保守員は、テストの実行者となり、自動取引装置１の保守点検による動作を確認するためのテストプログラム６５を自動取引装置１にインストールする。次に、テストの実行者は、図示せぬ操作部を操作してテストプログラム６５を起動させる。そして、テストの実行者は、自動取引装置１の使用対象国（地域）をヨーロッパに設定して、テストプログラム６５を用いて、自動取引装置１の制御部５０に入金テストを実行させる。これにより、自動取引装置１の制御部５０は、使用対象国（地域）をヨーロッパとする、入金テスト時の動作を開始する。
【００８１】
ヨーロッパ向け自動取引装置１の入金テストは、日本向け自動取引装置１の入金テストと同様に、テストプログラム６５が、自動取引装置１の制御部５０に、図６Ａ及び図６Ｂに示す処理を行わせることによって、行われる。ただし、テストの実行者は、Ｓ１０５で、紙幣媒体として、１万円券の模擬紙幣ＳＭ４Ｙｅｎの代わりに、１０ユーロ券の模擬紙幣ＳＭ４Ｅｕｒｏを、入出金口１５ａに挿入する。１０ユーロ券の模擬紙幣ＳＭ４Ｅｕｒｏは、前記した通り、金種特定マークＭＫを構成する４つの方形状のマークが、印刷範囲ＰＲに残存している。そのため、この模擬紙幣ＳＭ４Ｅｕｒｏは、金種４の模擬紙幣ＳＭ４として自動取引装置１に認識される。したがって、自動取引装置１の制御部５０は、Ｓ１３０で、紙幣媒体の金種を金種４に該当する「１０ユーロ」として鑑別する。その結果、制御部５０は、Ｓ１６５で、紙幣媒体を鑑別部２５から鑑別金種（ここでは、１０ユーロ）の紙幣収納カセット４５に搬送させて、鑑別金種の紙幣収納カセット４５に集積させる。
【００８２】
なお、テストの実行者が入出金口１５ａに挿入した紙幣媒体が例えば白紙等の金種が特定されない媒体である場合に、制御部５０は、Ｓ１３０で、紙幣媒体をリジェクト券として鑑別する。その結果、制御部５０は、Ｓ１４５で、紙幣媒体を鑑別部２５から入出金口１５ａに搬送させて、入出金口１５ａに集積させた後、Ｓ１７５で、入出金口１５ａの図示せぬシャッタを開放させて、紙幣媒体をテストの実行者に返却させる。
【００８３】
テストの実行者は、日本向け自動取引装置１の入金テストと同様に、Ｓ１６５で鑑別金種の紙幣収納カセット４５に搬送された各紙幣媒体を各紙幣収納カセット４５から抜き取り、目視にて、各紙幣媒体の状況を確認する。各紙幣媒体の状況が適正である場合に、テストの実行者は、自動取引装置１の入金テストを、「合格」と判定する。
【００８４】
（出金テスト）
出金テストに際して、テストの実行者は、１０ユーロ券の模擬紙幣ＳＭ４Ｅｕｒｏを、自動取引装置１の「１０ユーロ券」に対応する紙幣収納カセット４５に収納する。なお、テストの実行者は、他の金種の模擬紙幣ＳＭを用いる場合には、当然ながら、その模擬紙幣ＳＭを、模擬紙幣ＳＭの金種に対応する紙幣収納カセット４５に収納する。
【００８５】
次に、テストの実行者は、図示せぬ操作部を操作して入金テスト時に自動取引装置１にインストールされたテストプログラム６５を起動させる。そして、テストの実行者は、自動取引装置１の使用対象国（地域）をヨーロッパに設定し、さらに、出金する紙幣の金種及び枚数を指定して、テストプログラム６５を用いて、自動取引装置１の制御部５０に出金テストを実行させる。これにより、自動取引装置１の制御部５０は、使用対象国（地域）をヨーロッパとする、出金テスト時の動作を開始する。
【００８６】
ヨーロッパ向け自動取引装置１の出金テストは、日本向け自動取引装置１の出金テストと同様に、テストプログラム６５が、自動取引装置１の制御部５０に、図７に示す処理を行わせることによって、行われる。ただし、自動取引装置１の各紙幣収納カセット４５ａ〜４５ｄには、１０ユーロ券の模擬紙幣ＳＭ４Ｅｕｒｏを含むユーロ券の模擬紙幣ＳＭが収納されている。１０ユーロ券の模擬紙幣ＳＭ４Ｅｕｒｏは、前記した通り、金種特定マークＭＫを構成する４つの方形状のマークが、印刷範囲ＰＲに残存している。そのため、この模擬紙幣ＳＭ４Ｅｕｒｏは、金種４の模擬紙幣ＳＭ４として自動取引装置１に認識される。したがって、自動取引装置１の制御部５０は、Ｓ６１５で、紙幣媒体の金種を金種４に該当する「１０ユーロ」として鑑別する。その結果、制御部５０は、Ｓ６４０で、紙幣媒体を１０ユーロ券の模擬紙幣ＳＭ４として入出金口１５ａに搬送させて、入出金口１５ａに集積させる。そして、制御部５０は、Ｓ６５０で、入出金口１５ａの図示せぬシャッタを開放させて、紙幣媒体を出金紙幣としてテストの実行者に抜き取らせる。
【００８７】
なお、テストの実行者が紙幣収納カセット４５に収納した紙幣媒体が例えば白紙等の金種が特定されない媒体である場合に、制御部５０は、Ｓ６１５で、紙幣媒体をリジェクト券として鑑別する。その結果、制御部５０は、Ｓ６３０で、紙幣媒体を鑑別部２５からリジェクト部４０のリジェクトカセット４０ｃに搬送させて、リジェクトカセット４０ｃに集積させる。
【００８８】
テストの実行者は、日本向け自動取引装置１の出金テストと同様に、Ｓ６４０で入出金口１５ａに搬送された各紙幣媒体を入出金口１５ａから抜き取り、目視にて、各紙幣媒体の状況を確認する。各紙幣媒体の状況が適正である場合に、テストの実行者は、自動取引装置１の出金テストを、「合格」と判定する。
このようにして、テストプログラム６５は、模擬紙幣ＳＭを用いてヨーロッパ向け自動取引装置１の品質確認を行う。
【００８９】
（中国向け自動取引装置のテスト）
以下、中国向け自動取引装置１のテストにつき説明する。ここでは、中国向け自動取引装置１を動作させるアプリケーションソフトウェアの作成時に、ソフトウェアのデバッグを行うために、１００元券の模擬紙幣として１０ユーロ券の模擬紙幣ＳＭ４Ｅｕｒｏを用いてテストを行うものとして説明する。なお、１０ユーロ券の模擬紙幣ＳＭ４Ｅｕｒｏのサイズは、中国の１００元券の紙幣のサイズよりも小さい。しかしながら、ソフトウェアのデバッグを行うためのテストは、自動取引装置１の各部品や各機構が適正に動作するか否かを検証するためのものであるため、１０ユーロ券の模擬紙幣ＳＭ４Ｅｕｒｏを１００元券の模擬紙幣として用いても、問題が生じない。
【００９０】
入金テストに際して、ソフトウェア技術者は、テストの実行者となり、ソフトウェアのデバッグをするためのテストプログラム６５を自動取引装置１にインストールする。次に、テストの実行者は、図示せぬ操作部を操作してテストプログラム６５を起動させる。そして、テストの実行者は、自動取引装置１の使用対象国（地域）を中国に設定して、テストプログラム６５を用いて、自動取引装置１の制御部５０に入金テストを実行させる。これにより、自動取引装置１の制御部５０は、使用対象国（地域）を中国とする、入金テスト時の動作を開始する。
【００９１】
中国向け自動取引装置１の入金テストは、ヨーロッパ向け自動取引装置１の入金テストと同様に、テストプログラム６５が、自動取引装置１の制御部５０に、図６Ａ及び図６Ｂに示す処理を行わせることによって、行われる。なお、このテストでは、テストの実行者は、Ｓ１０５で、１００元券の模擬紙幣として、１０ユーロ券の模擬紙幣ＳＭ４Ｅｕｒｏを、入出金口１５ａに挿入する。１０ユーロ券の模擬紙幣ＳＭ４Ｅｕｒｏは、前記した通り、金種特定マークＭＫを構成する４つの方形状のマークが、印刷範囲ＰＲに残存している。そのため、この模擬紙幣ＳＭ４Ｅｕｒｏは、金種４の模擬紙幣ＳＭ４として自動取引装置１に認識される。したがって、自動取引装置１の制御部５０は、Ｓ１３０で、紙幣媒体の金種を、中国で使用されている通貨の金種４に該当する「１００元」として鑑別する。その結果、制御部５０は、Ｓ１６５で、紙幣媒体を鑑別部２５から鑑別金種（ここでは、１００元）の紙幣収納カセット４５に搬送させて、鑑別金種の紙幣収納カセット４５に集積させる。
【００９２】
なお、テストの実行者が入出金口１５ａに挿入した紙幣媒体が例えば白紙等の金種が特定されない媒体である場合に、制御部５０は、Ｓ１３０で、紙幣媒体をリジェクト券として鑑別する。その結果、制御部５０は、Ｓ１４５で、紙幣媒体を鑑別部２５から入出金口１５ａに搬送させて、入出金口１５ａに集積させた後、Ｓ１７５で、入出金口１５ａの図示せぬシャッタを開放させて、紙幣媒体をテストの実行者に返却させる。
【００９３】
テストの実行者は、ヨーロッパ向け自動取引装置１の入金テストと同様に、Ｓ１６５で鑑別金種の紙幣収納カセット４５に搬送された各紙幣媒体を各紙幣収納カセット４５から抜き取り、目視にて、各紙幣媒体の状況を確認する。各紙幣媒体の状況が適正である場合に、テストの実行者は、自動取引装置１の入金テストを、「合格」と判定する。
【００９４】
（出金テスト）
出金テストに際して、テストの実行者は、１００元券の模擬紙幣として１０ユーロ券の模擬紙幣ＳＭ４Ｅｕｒｏを、自動取引装置１の「１００元券」に対応する紙幣収納カセット４５に収納する。なお、テストの実行者は、他の金種の模擬紙幣ＳＭを用いる場合には、当然ながら、その模擬紙幣ＳＭを、模擬紙幣ＳＭの金種に対応する紙幣収納カセット４５に収納する。
【００９５】
次に、テストの実行者は、図示せぬ操作部を操作して入金テスト時に自動取引装置１にインストールされたテストプログラム６５を起動させる。そして、テストの実行者は、自動取引装置１の使用対象国（地域）を中国に設定し、さらに、出金する紙幣の金種及び枚数を指定して、テストプログラム６５を用いて、自動取引装置１の制御部５０に出金テストを実行させる。これにより、自動取引装置１の制御部５０は、使用対象国（地域）を中国とする、出金テスト時の動作を開始する。
【００９６】
中国向け自動取引装置１の出金テストは、ヨーロッパ向け自動取引装置１の出金テストと同様に、テストプログラム６５が、自動取引装置１の制御部５０に、図７に示す処理を行わせることによって、行われる。ただし、自動取引装置１の各紙幣収納カセット４５ａ〜４５ｄには、１０ユーロ券の模擬紙幣ＳＭ４Ｅｕｒｏを含むユーロ券の模擬紙幣ＳＭが収納されている。１０ユーロ券の模擬紙幣ＳＭ４Ｅｕｒｏは、前記した通り、金種特定マークＭＫを構成する４つの方形状のマークが、印刷範囲ＰＲに残存している。そのため、この模擬紙幣ＳＭ４Ｅｕｒｏは、金種４の模擬紙幣ＳＭ４として自動取引装置１に認識される。したがって、自動取引装置１の制御部５０は、Ｓ６１５で、紙幣媒体の金種を、中国で使用されている通貨の金種４に該当する「１００元」として鑑別する。その結果、制御部５０は、Ｓ６４０で、紙幣媒体を１００元券の模擬紙幣ＳＭ４として入出金口１５ａに搬送させて、入出金口１５ａに集積させる。そして、制御部５０は、Ｓ６５０で、入出金口１５ａの図示せぬシャッタを開放させて、紙幣媒体を出金紙幣としてテストの実行者に抜き取らせる。
【００９７】
なお、テストの実行者が紙幣収納カセット４５に収納した紙幣媒体が例えば白紙等の金種が特定されない媒体である場合に、制御部５０は、Ｓ６１５で、紙幣媒体をリジェクト券として鑑別する。その結果、制御部５０は、Ｓ６３０で、紙幣媒体を鑑別部２５からリジェクト部４０のリジェクトカセット４０ｃに搬送させて、リジェクトカセット４０ｃに集積させる。
【００９８】
テストの実行者は、ヨーロッパ向け自動取引装置１の出金テストと同様に、Ｓ６４０で入出金口１５ａに搬送された各紙幣媒体を入出金口１５ａから抜き取り、目視にて、各紙幣媒体の状況を確認する。各紙幣媒体の状況が適正である場合に、テストの実行者は、自動取引装置１の出金テストを、「合格」と判定する。
このようにして、テストプログラム６５は、模擬紙幣ＳＭを用いて中国向け自動取引装置１の各部品や各機構が適正に動作するか否かを検証して、ソフトウェアのデバッグを行う。
【００９９】
なお、本実施形態では、１万円券の模擬紙幣ＳＭ４Ｙｅｎを１０ユーロ券や１００元券等の模擬紙幣として用いる例を説明した。しかしながら、模擬紙幣ＳＭは、切り取りエリアＣＡのサイズを変更すれば、例えば、１万円券の模擬紙幣ＳＭ４Ｙｅｎを１０アメリカドル券や１０００台湾ドル券、その他の、金種４の模擬紙幣ＳＭ４として用いることができる。また、模擬紙幣ＳＭは、例えば、１０００円券の模擬紙幣ＳＭ１Ｙｅｎを１アメリカドル券や１００台湾ドル券、その他の、金種１の模擬紙幣ＳＭ１として用いることができる。このように、模擬紙幣ＳＭは、金種特定マークＭＫを構成する方形状のマークの個数に応じて、異なる通貨単位における同一金種の模擬紙幣として用いることができる。
【０１００】
この模擬紙幣ＳＭは、前記した通り、印刷範囲ＰＲが、自動取引装置１による取扱可能な複数種類の紙幣の中で一番小さい紙幣のサイズよりも小さな領域として予め設定されている。自動取引装置１の制御部５０は、その印刷範囲ＰＲに印刷されている金種特定マークＭＫに基づいて、各模擬紙幣ＳＭの金種を鑑別する。そのため、制御部５０は、各通貨単位に共通して、１枚の模擬紙幣ＳＭを、同一通貨単位内で発行されている各紙幣に付された金額の大小の順番の券として、認識する。例えば、制御部５０は、自動取引装置１の使用対象国（地域）の設定に応じて、１枚の模擬紙幣ＳＭを、１万円券として、又は、１０ユーロ券として、又は、１００元券として、認識する。
【０１０１】
したがって、模擬紙幣ＳＭは、各種のテストに使用する模擬紙幣の種類及び枚数を減らすことができる。そのため、模擬紙幣ＳＭは、各種のテストに使用する模擬紙幣を用意するためのコストを軽減することができるとともに、模擬紙幣の管理の煩雑さを軽減することができる。
【０１０２】
また、模擬紙幣ＳＭは、自動取引装置１に関する様々な作業（例えば、自動取引装置１の製造検査時や保守点検時における自動取引装置１内部の各部品や各機構の動作確認作業や、自動取引装置１を動作させるソフトウェアの作成時におけるソフトウェアのデバッグ作業等）で、共通に用いることができる。そのため、模擬紙幣ＳＭは、使い勝手がよく、製品開発からユーザへの納入までのプロセスを大幅に効率化することができる。
【０１０３】
以上の通り、本実施形態に係るテストプログラム６５又はテスト方法によれば、１枚の模擬紙幣ＳＭを異なる通貨単位間で使い回すことを許容するため、入金テストや出金テスト等の各種テストに使用する模擬紙幣を用意するためのコスト及び模擬紙幣の管理の煩雑さを軽減する、紙幣処理装置のテストプログラム又はテスト方法を提供することができる。
また、本実施形態に係る模擬紙幣ＳＭによれば、１枚の模擬紙幣を異なる通貨単位間で使い回すことができるため、入金テストや出金テスト等の各種テストに使用する模擬紙幣を用意するためのコスト及び模擬紙幣の管理の煩雑さを軽減する、模擬紙幣を提供することができる。
【０１０４】
本発明は、前記した実施形態に限定されることなく、本発明の要旨を逸脱しない範囲で種々の変更や変形を行うことができる。
例えば、本発明に係るテストプログラム及びテスト方法は、自動取引装置に限らず、キャッシュディスペンサや、窓口装置、レジスタ機、その他の紙幣処理装置に適用することができる。
【０１０５】
また、例えば、本発明に係るテストプログラム及びテスト方法は、出金テスト時において取り忘れられた模擬紙幣をリジェクト部の取り忘れカセットに搬送させる場合や、入金テスト時において金種が不明な紙幣として入出金口に搬送された模擬紙幣をリジェクト部の取り忘れカセットに搬送させる場合にも、適用することができる。
【０１０６】
また、例えば、本発明に係るテストプログラム及びテスト方法は、振り込み処理を行う場合にも適用することができる。
また、例えば、本発明に係るテストプログラム及びテスト方法は、紙幣処理装置に補充回収カセットを装着して、模擬紙幣を補充回収カセットから紙幣処理装置の紙幣収納カセットに補充させる場合や、模擬紙幣を紙幣処理装置の紙幣収納カセットから補充回収カセットに回収させる場合にも、適用することができる。
【符号の説明】
【０１０７】
１    紙幣処理装置（自動取引装置）
１５    接客部
１５ａ    入出金口
２０    搬送機構
２５    鑑別部
３０    一時保留部
３５    補充回収カセット
４０    リジェクト部
４０ａ    取り忘れカセット
４０ｂ    損券カセット
４０ｃ    リジェクトカセット
４５    紙幣収納カセット
５０    制御部
５５    記憶部
６０    記憶媒体
６５    テストプログラム
ＣＡ    切り取りエリア
ＣＬ    切断線
ＣＵ    通貨単位
Ｈ    縦幅
ＭＫ    金種特定マーク
ＰＲ    印刷範囲
ＳＭ    模擬紙幣
Ｗ    横幅
【図１】
2011113158.tif 000003
【図２】
2011113158.tif 000004
【図３】
2011113158.tif 000005
【図４】
2011113158.tif 000006
【図５】
2011113158.tif 000007
【図６Ａ】
2011113158.tif 000008
【図６Ｂ】
2011113158.tif 000009
【図７】
2011113158.tif 000010